(57)【特許請求の範囲】
【請求項１】
リングメインユニットの内部フレームに取り付けられてケーブルカバーの着脱を調整するリングメインユニットのインターロック装置において、
前記内部フレームに固定される固定部と、
弾性部材により囲まれるように備えられ、外周面に弾性部材圧縮ロッドが突出形成されており、前記固定部を貫通した状態で上下移動して前記弾性部材圧縮ロッドにより前記弾性部材の圧縮又は圧縮解除を行う上部軸バーと、
前記上部軸バーの下方に前記上部軸バーと連動可能に連結され、前記ケーブルカバーが係合された状態で前記ケーブルカバーと連動して移動して前記上部軸バーにより前記弾性部材の圧縮又は圧縮解除が行われるようにする下部軸バーと、を含み、
前記上部軸バーと前記下部軸バー間に移動防止部材が備えられることを特徴とするリングメインユニットのインターロック装置。
【請求項２】
前記移動防止部材の前面には挿入孔及び前記挿入孔に結合される固定部材が備えられ、
前記固定部材が前記内部フレームに当接して前記ケーブルカバーの脱着が防止される、請求項１に記載のリングメインユニットのインターロック装置。
【請求項３】
前記固定部は、
前記上部軸バーが貫通して上下移動するように貫通孔が形成された上部板と、
前記上部板の両端から下方に延設された側面板と、
前記側面板の一端から側面に延設され、前記内部フレームが固定されるように固定孔が形成された固定板と、から構成される、請求項１に記載のリングメインユニットのインターロック装置。
【請求項４】
前記弾性部材圧縮ロッドは、円筒状、棒形状、カム形状又は板形状のいずれかの形状である、請求項１に記載のリングメインユニットのインターロック装置。
【請求項５】
前記ケーブルカバーの上部に密着孔が形成され、
前記下部軸バーは、
本体部と、
前記本体部の上端から突設されていて前記ケーブルカバーが結合されるときに前記密着孔に挿入される密着部と、
前記密着部の上方に延設されて前記移動防止部材に結合される連結部と、から構成される、請求項１に記載のリングメインユニットのインターロック装置。
【請求項６】
前記密着部の半径方向の長さが前記本体部の半径方向の長さより短い、請求項５に記載のリングメインユニットのインターロック装置。
【請求項７】
前記密着孔と前記密着部が同じ曲率を有する、請求項５に記載のリングメインユニットのインターロック装置。
【請求項８】
前記固定部材の外周面には、回転が容易になるように複数の突起が形成される、請求項２に記載のリングメインユニットのインターロック装置。
【請求項９】
一端は前記固定部に連結され、他端は前記上部軸バーが貫通して前記上部軸バーの移動を支持する支持部をさらに含む、請求項１に記載のリングメインユニットのインターロック装置。
【請求項１０】
前記支持部が「コ」字形状である、請求項９に記載のリングメインユニットのインターロック装置。
【請求項１１】
前記移動防止部材の中心部には、錠のロックのための錠孔が形成される、請求項１に記載のリングメインユニットのインターロック装置。
【発明の詳細な説明】
【技術分野】
【０００１】
本発明は、リングメインユニットのインターロック装置に関し、特に、リングメインユニットに構成されたＲＩＳＥＲ回路側ケーブルカバーの着脱を調整するリングメインユニットのインターロック装置に関する。
【背景技術】
【０００２】
一般に、リングメインユニット（ＲＭＵ）は、受配電施設から送られた電力を需要家に配電するときに用いる電気系統の監視、制御及び保護のために使用される装置であり、ＳＦ6ガスにより密閉絶縁される構造物内に遮断器、開閉器、接地、導体類などが含まれる集合体で構成される。
【０００３】
このようなリングメインユニットは、外箱内にＣＢ回路（遮断器回路）、ＬＢＳ回路（負荷開閉器回路）、ヒューズ回路、ＲＩＳＥＲ回路などを備え、各回路を保護するためにケーブルカバーが着脱される。
【０００４】
図６は従来のリングメインユニットを示す斜視図であり、図７は従来のリングメインユニットにホルダーが備えられた状態を示す斜視図であり、図８は従来のリングメインユニットに係合されるケーブルカバーに係止孔が形成された状態を示す斜視図であり、図９Ａはリングメインユニットにケーブルカバーが取り付けられる直前の状態を示す概略側面図であり、図９Ｂはリングメインユニットのホルダーがケーブルカバーの係止孔に取り付けられた状態を示す概略側面図であり、図９Ｃはリングメインユニットにケーブルカバーが取り付けられてから下方に移動した状態を示す概略側面図である。
【０００５】
図６〜図８に示すように、従来のリングメインユニット１０には、各回路を保護するためのケーブルカバー３０が着脱される。
【０００６】
ここで、リングメインユニット１０の内部にはホルダー２０が備えられるが、ケーブルカバー３０に形成された係止孔３１にホルダー２０が挿入されることにより、リングメインユニット１０にケーブルカバー３０が係合されて固定される。
【０００７】
すなわち、図９Ａ〜図９Ｃに示すように、リングメインユニット１０にケーブルカバー３０が係合されると、ケーブルカバー３０に形成された係止孔３１にホルダー２０が挿入され、ホルダー２０が係止孔３１に挿入された状態でケーブルカバー３０が下方に移動すると、ホルダー２０の一端が係止孔３１の上方に位置するようになってケーブルカバー３０の分離が防止される。
【０００８】
一方、リングメインユニット１０においては、遮断器回路や負荷開閉器回路には、動作のためのメカニズムが備えられるので、メカニズムの状態によってケーブルカバー３０の着脱を調整するためのインターロック装置が備えられ、ＲＩＳＥＲ回路には、メカニズムが備えられないので、ケーブルカバー３０の着脱を調整するためのインターロック装置が備えられない。
【発明の概要】
【発明が解決しようとする課題】
【０００９】
よって、リングメインユニット１０の通電中にＲＩＳＥＲ回路側ケーブルカバー３０を脱着できるようになっており、使用者の事故が頻発するという問題があった。
【００１０】
また、ケーブルカバー３０を着脱するときに使用者がケーブルカバー３０を上下に一々移動させなければならないので、使用上の利便性が損なわれるという問題があった。
【００１１】
さらに、ケーブルカバー３０を着脱するときにリングメインユニット１０に衝撃が加わり、長時間使用すると構成部品が破損するという問題があった。
【００１２】
本発明は、このような問題を解決するためになされたものであり、リングメインユニットに構成されたＲＩＳＥＲ回路側ケーブルカバーの着脱を調整するリングメインユニットのインターロック装置を提供することを目的とする。
【課題を解決するための手段】
【００１３】
本発明の上記目的は、リングメインユニットの内部フレームに取り付けられてケーブルカバーの着脱を調整するリングメインユニットのインターロック装置において、前記内部フレームに固定される固定部と、弾性部材により囲まれるように備えられ、外周面に弾性部材圧縮ロッドが突出形成されており、前記固定部を貫通した状態で上下移動して前記弾性部材圧縮ロッドにより前記弾性部材の圧縮又は圧縮解除を行う上部軸バーと、前記上部軸バーの下方に前記上部軸バーと連動可能に連結され、前記ケーブルカバーが係合された状態で前記ケーブルカバーと連動して移動して前記上部軸バーにより前記弾性部材の圧縮又は圧縮解除が行われるようにする下部軸バーとを含む、リングメインユニットのインターロック装置を提供することにより達成することができる。
【００１４】
また、前記上部軸バーと前記下部軸バー間には、移動防止部材が備えられてもよい。
【００１５】
さらに、前記移動防止部材の前面には、挿入孔及び前記挿入孔に結合される固定部材が備えられ、前記固定部材が前記内部フレームに当接して前記ケーブルカバーの脱着が防止されるようにしてもよい。
【００１６】
さらに、前記固定部は、前記上部軸バーが貫通して上下移動するように貫通孔が形成された上部板と、前記上部板の両端から下方に延設された側面板と、前記側面板の一端から側面に延設され、前記内部フレームが固定されるように固定孔が形成された固定板とから構成されてもよい。
【００１７】
さらに、前記弾性部材圧縮ロッドは、円筒状、棒形状、カム形状又は板形状のいずれかの形状であってもよい。
【００１８】
さらに、前記ケーブルカバーの上部に密着孔が形成され、前記下部軸バーは、本体部と、前記本体部の上端から突設されていて前記ケーブルカバーが結合されるときに前記密着孔に挿入される密着部と、前記密着部の上方に延設されて前記移動防止部材に結合される連結部とから構成されるようにしてもよい。
【００１９】
さらに、前記密着部の半径方向の長さが前記本体部の半径方向の長さより短くなるようにしてもよい。
【００２０】
さらに、前記密着孔と前記密着部は、同じ曲率を有するようにしてもよい。
【００２１】
さらに、前記固定部材の外周面には、回転が容易になるように複数の突起が形成されてもよい。
【００２２】
さらに、前記リングメインユニットのインターロック装置は、一端は前記固定部に連結され、他端は前記上部軸バーが貫通して前記上部軸バーの移動を支持する支持部をさらに含んでもよい。
【００２３】
さらに、前記支持部は、「コ」字形状であってもよい。
【００２４】
さらに、前記移動防止部材の中心部には、錠のロックのための錠孔が形成されてもよい。
【発明の効果】
【００２５】
本発明によるリングメインユニットのインターロック装置においては、スプリングを用いてケーブルカバーの着脱を行うようにし、スプリングの付勢力によりケーブルカバーの着脱が容易になるという効果がある。
【００２６】
また、スプリングを用いてケーブルカバーの着脱を行うようにすることにより、ケーブルカバーを着脱するときにリングメインユニットに衝撃が加わることを防止できるという効果がある。
【００２７】
さらに、錠を用いたロック機能を持たせることにより、使用権限のない者の使用を制限できるという効果がある。
【００２８】
さらに、ケーブルカバーが取り付けられた場合、固定部材を結合して固定部材によりケーブルカバーの脱着を制限することにより、使用者はリングメインユニットが通電中であるか否かを確認した後にケーブルカバーを脱着することになり、使用時に事故が発生することを未然に防止できるという効果がある。
【図面の簡単な説明】
【００２９】
【図１】本発明によるインターロック装置がリングメインユニットに取り付けられた状態を示す斜視図である。
【図２】本発明によるインターロック装置により着脱が調整されるケーブルカバーを示す斜視図である。
【図３】本発明によるインターロック装置を示す斜視図である。
【図４】本発明によるインターロック装置を示す分解斜視図である。
【図５】本発明によるインターロック装置を示す他の斜視図である。
【図６】従来のリングメインユニットを示す斜視図である。
【図７】従来のリングメインユニットにホルダーが備えられた状態を示す斜視図である。
【図８】従来のリングメインユニットに係合されるケーブルカバーに係止孔が形成された状態を示す斜視図である。
【図９Ａ】リングメインユニットにケーブルカバーが係合される直前の状態を示す概略側面図である。
【図９Ｂ】リングメインユニットのホルダーがケーブルカバーの係止孔に挿入された状態を示す概略側面図である。
【図９Ｃ】リングメインユニットにケーブルカバーが係合されてから下方に移動した状態を示す概略側面図である。
【発明を実施するための形態】
【００３０】
以下、添付図面を参照して本発明の一実施形態によるリングメインユニットのインターロック装置について詳細に説明する。
【００３１】
図１は本発明によるインターロック装置がリングメインユニットに取り付けられた状態を示す斜視図であり、図２は本発明によるインターロック装置により着脱が調整されるケーブルカバーを示す斜視図であり、図３は本発明によるインターロック装置を示す斜視図であり、図４は本発明によるインターロック装置を示す分解斜視図であり、図５は本発明によるインターロック装置を示す他の斜視図である。
【００３２】
図１〜図４に示すように、本発明によるリングメインユニットのインターロック装置１１０は、リングメインユニット１００の内部フレーム１０１に取り付けられ、リングメインユニット１００のＲＩＳＥＲ回路側ケーブルカバー１０３の着脱を調整する。
【００３３】
インターロック装置１１０は、上部軸バー１１１、固定部１１５及び下部軸バー１１３を含む。
【００３４】
上部軸バー１１１は、円筒状に形成され、スプリングなどの弾性部材１２１により囲まれるように備えられる。
【００３５】
また、上部軸バー１１１の外周面には棒形状の弾性部材圧縮ロッド１１１ａが突出形成されるが、弾性部材圧縮ロッド１１１ａは、その下面が弾性部材１２１の上端に密着した状態で配置される。
【００３６】
従って、上部軸バー１１１が移動することにより弾性部材圧縮ロッド１１１ａが弾性部材１２１の圧縮又は圧縮解除を行う。
【００３７】
ここで、弾性部材圧縮ロッド１１１ａは、棒形状に限定されるものではなく、円筒状、カム形状、板形状など、圧縮を容易に行える形状であればいずれの形状であってもよい。
【００３８】
固定部１１５には、上部軸バー１１１が貫通して上下移動可能に固定される。
【００３９】
ここで、固定部１１５は、上部板１１５ａ、側面板１１５ｂ及び固定板１１５ｃから構成される。
【００４０】
上部板１１５ａは、内部フレーム１０１と水平に配置され、上部軸バー１１１が貫通して上下移動するように貫通孔（図示せず）が形成されており、上部軸バー１１１が前記貫通孔に挿入された状態で移動する。
【００４１】
また、側面板１１５ｂは、上部板１１５ａの両端から上部板１１５ａの下方に延設され、固定板１１５ｃは、側面板１１５ｂの一端から側面に延設され、内部フレーム１０１が固定されるように固定孔１１５ｃ−１が形成されており、固定孔１１５ｃ−１と内部フレーム１０１をリベットなどの連結部材（図示せず）が貫通することにより、固定板１１５ｃによりインターロック装置１１０が内部フレーム１０１に固定される。
【００４２】
インターロック装置１１０は、上部軸バー１１１の移動を支持する支持部１２３をさらに含んでもよい。支持部１２３の一端は固定部１１５に連結され、支持部１２３の他端は上部軸バー１１１の上部が貫通して上部軸バー１１１の移動を支持する。本実施形態において、支持部１２３は「コ」字形状である。
【００４３】
下部軸バー１１３は、上部軸バー１１１の下方に上部軸バー１１１と連動可能に連結され、ケーブルカバー１０３が係合された状態でケーブルカバー１０３と連動して移動して上部軸バー１１１により弾性部材１２１の圧縮又は圧縮解除が行われるようにする。
【００４４】
ここで、ケーブルカバー１０３の上端には密着孔１０３ａが形成され、下部軸バー１１３は、本体部１１３ａ、密着部１１３ｂ及び連結部１１３ｃから構成される。
【００４５】
本体部１１３ａは、円筒状に形成され、密着部１１３ｂは、本体部１１３ａの上端から突設されていてケーブルカバー１０３が結合されるときに密着孔１０３ａに挿入される。
【００４６】
ここで、密着孔１０３ａと密着部１１３ｂが同じ曲率を有するので、密着部１１３ｂが密着孔１０３ａに挿入されると密着部１１３ｂの外周面が密着孔１０３ａに当接する。
【００４７】
また、密着部１１３ｂの半径方向の長さが本体部１１３ａの半径方向の長さより短くなっているので、ケーブルカバー１０３が結合されると、ケーブルカバー１０３の上端下面に本体部１１３ａの所定部分が当接し、ケーブルカバー１０３の移動により本体部１１３ａも移動する。
【００４８】
連結部１１３ｃは、密着部１１３ｂの上方に延設され、後述する移動防止部材１１７の下部に挿入される。
【００４９】
さらに、上部軸バー１１１と下部軸バー１１３間には、上部軸バー１１１と下部軸バー１１３を連結する移動防止部材１１７が備えられる。
【００５０】
移動防止部材１１７は、上部軸バー１１１と下部軸バー１１３を連結し、ケーブルカバー１０３の移動により上部軸バー１１１と下部軸バー１１３を連動して移動させる。
【００５１】
すなわち、移動防止部材１１７の上端には上部軸バー１１１の下端が挿入されて第１締結部材１２５により連結され、移動防止部材１１７の下端には下部軸バー１１３の上端が挿入されて第２締結部材１２６により連結されており、移動防止部材１１７により上部軸バー１１１と下部軸バー１１３が連動して移動する。
【００５２】
従って、ケーブルカバー１０３が下部軸バー１１３に係合された状態で下方に移動すると、下部軸バー１１３が下方に移動すると共に、移動防止部材１１７により下部軸バー１１３に連結された上部軸バー１１１も下方に移動し、上部軸バー１１１の移動により弾性部材圧縮ロッド１１１ａが弾性部材１２１を圧縮する。
【００５３】
一方、ケーブルカバー１０３を分離する際には、弾性部材１２１が付勢力により元の位置に復帰することによって弾性部材圧縮ロッド１１１ａを押圧すると、上部軸バー１１１、移動防止部材１１７及び下部軸バー１１３が同時に上方に移動してケーブルカバー１０３を移動させるので、大きな力を加えることなく容易にケーブルカバー１０３を分離することができ、大きな力を加えないので、ケーブルカバー１０３を分離する際にリングメインユニット１００に衝撃が加わることを防止することができる。
【００５４】
また、図５に示すように、移動防止部材１１７の前面には挿入孔１１７ａが形成されているが、密着孔１０３ａに密着部１１３ｂが挿入された状態でケーブルカバー１０３が下方に移動すると、移動防止部材１１７も下部軸バー１１３と連動して移動すると共に、挿入孔１１７ａは内部フレーム１０１の下側に位置するようになる。
【００５５】
このとき、挿入孔１１７ａに固定部材１１９を挿入すると、固定部材１１９の上端が内部フレーム１０１の下端に密着し、固定部材１１９を除去していない状態ではケーブルカバー１０３の上方への移動が制限され、それによりケーブルカバー１０３の脱着が防止される。
【００５６】
ここで、固定部材１１９は、挿入孔１１７ａに挿入されてケーブルカバー１０３の移動を制限するものであって、固定部材１１９の外周面には複数の突起１１９ａが形成され、突起１１９ａにより、使用者が固定部材１１９を回転させて挿入孔１１７ａに結合する際にその回転が容易になる。
【００５７】
さらに、移動防止部材１１７の中心部には錠のロックのための錠孔１１７ｂが形成されており、錠孔１１７ｂに錠をかけて使用権限のない者の使用を制限することができる。
【００５８】
このように構成された本発明によるリングメインユニットのインターロック装置においては、スプリングを用いてケーブルカバー１０３の着脱を行うようにし、スプリングの付勢力によりケーブルカバー１０３の着脱が容易になるようにする。
【００５９】
また、スプリングを用いてケーブルカバー１０３の着脱を行うようにすることにより、ケーブルカバー１０３を着脱するときにリングメインユニット１００に衝撃が加わることを防止する。
【００６０】
さらに、錠を用いたロック機能を持たせることにより、使用権限のない者の使用を制限する。
【００６１】
さらに、ケーブルカバー１０３が取り付けられた場合、固定部材１１９を結合して固定部材１１９によりケーブルカバー１０３の脱着を制限することにより、使用者はリングメインユニット１００が通電中であるか否かを確認した後にケーブルカバー１０３を脱着することになり、使用時に事故が発生することを未然に防止する。
【００６２】
以上、本発明の好ましい一実施形態について説明したが、本発明は、様々な変化、変更及び均等物を用いることができ、上記実施形態を適切に変形して同様に応用できることは明らかである。よって、上記記載内容は特許請求の範囲により定義される本発明の範囲を限定するものではない。
【符号の説明】
【００６３】
１００    リングメインユニット
１０１    内部フレーム
１０３    ケーブルカバー
１０３ａ    密着孔
１１０    インターロック装置
１１１    上部軸バー
１１１ａ    弾性部材圧縮ロッド
１１３    下部軸バー
１１３ａ    本体部
１１３ｂ    密着部
１１３ｃ    連結部
１１５    固定部
１１５ａ    上部板
１１５ｂ    側面板
１１５ｃ    固定板
１１５ｃ−１    固定孔
１１７    移動防止部材
１１７ａ    挿入孔
１１７ｂ    錠孔
１１９    固定部材
１１９ａ    突起
１２１    弾性部材
１２３    支持部
【図１】
0006280165.tif 000002
【図２】
0006280165.tif 000003
【図３】
0006280165.tif 000004
【図４】
0006280165.tif 000005
【図５】
0006280165.tif 000006
【図６】
0006280165.tif 000007
【図７】
0006280165.tif 000008
【図８】
0006280165.tif 000009
【図９Ａ】
0006280165.tif 000010
【図９Ｂ】
0006280165.tif 000011
【図９Ｃ】
0006280165.tif 000012